(57)【特許請求の範囲】
【請求項１】
負温度係数サーミスタを利用した温度測定装置において、
前記負温度係数サーミスタと可変抵抗部を含み、前記可変抵抗部の抵抗値は温度測定のためのデフォルト抵抗値と断線判断のための臨時抵抗値との間で変化する温度センサと、
前記可変抵抗部が臨時抵抗値を有する場合、前記温度センサの出力電圧に基づいて前記負温度係数サーミスタが断線しているか否かを判断する異常動作判断部と、を含み、
前記可変抵抗部は、
一端が負温度係数サーミスタの他端に連結され、他端は接地される第１固定抵抗と、
一端が前記負温度係数サーミスタの他端に連結される第２固定抵抗と、
一端が前記第２固定抵抗の他端に連結され、他端は接地されるスイッチと、を含む、
温度測定装置。
【請求項２】
前記デフォルト抵抗値は温度測定範囲の中間温度での前記負温度係数サーミスタの抵抗値より小さい、請求項１に記載の温度測定装置。
【請求項３】
前記可変抵抗部は第１固定抵抗、第２固定抵抗及びスイッチを含む、請求項１に記載の温度測定装置。
【請求項４】
前記異常動作判断部は、
前記可変抵抗部が臨時抵抗値を有する場合、前記温度センサの出力電圧の大きさが断線判断の基準電圧より小さければ前記負温度係数サーミスタが断線していると判断する、請求項１に記載の温度測定装置。
【請求項５】
前記温度センサの複数の出力電圧値にそれぞれ対応すると複数の温度値を含む電圧温度テーブルを記憶する電圧温度テーブル記憶部と、
前記出力電圧値と記憶された前記電圧温度テーブルをマッチングして現在温度を出力する電圧温度マッチング部と、を含む、請求項１に記載の温度測定装置。
【請求項６】
前記異常動作判断部は、
前記現在温度が予め設定された正常動作温度範囲の下限温度より低い温度で異常動作の基準時間以上維持される場合、前記可変抵抗部が前記臨時抵抗値を有するようにする、請求項５に記載の温度測定装置。
【請求項７】
前記異常動作判断部は、
前記現在温度が正常動作温度範囲の上限温度より高い温度で異常動作の基準時間以上維持される場合、前記負温度係数サーミスタが短絡していると判断する、請求項５に記載の温度測定装置。
【請求項８】
負温度係数サーミスタを利用した温度測定装置において、
直流電圧が印加される一端を有する負温度係数サーミスタと、
前記負温度係数サーミスタの他端に連結される一端と接地される他端を有し、温度測定のためのデフォルト抵抗値と断線判断のための臨時抵抗値を有する可変抵抗部と、
前記可変抵抗部が前記臨時抵抗値を有する場合の前記可変抵抗部の一端の電圧に基づいて前記負温度係数サーミスタが断線しているか否かを判断する異常動作判断部と、を含み、
前記可変抵抗部は、
一端が負温度係数サーミスタの他端に連結され、他端は接地される第１固定抵抗と、
一端が前記負温度係数サーミスタの他端に連結される第２固定抵抗と、
一端が前記第２固定抵抗の他端に連結され、他端は接地されるスイッチと、を含む、
温度測定装置。
【請求項９】
前記可変抵抗部は、
一端が負温度係数サーミスタの他端に連結され、他端は接地される第１固定抵抗と、
一端が前記負温度係数サーミスタの他端に連結されるスイッチと、
一端が前記スイッチの他端に連結され、他端は接地される第２固定抵抗と、を含む、請求項８に記載の温度測定装置。
【請求項１０】
前記デフォルト抵抗値は前記温度測定装置が温度を測定可能な温度測定範囲の中間温度での前記負温度係数サーミスタの抵抗値より小さい、請求項８に記載の温度測定装置。
【発明の詳細な説明】
【技術分野】
【０００１】
本発明は、負温度係数サーミスタを利用した温度測定装置に関するものである。
【背景技術】
【０００２】
負温度係数サーミスタ（Ｎｅｇａｔｉｖｅ  Ｔｅｍｐｅｒａｔｕｒｅ  Ｃｏｅｆｆｉｃｉｅｎｔ，ＮＴＣ）とは負の温度係数を有して連続的に電気抵抗が変化するサーミスタであって、そのような特徴を利用して温度センサとして使用されている。特に−４５℃から１２０℃に至る範囲で安定的に動作すべきである自動車、電気自動車の場合、ＮＴＣサーミスタを利用した温度センサを使用して温度を測定する。そして、測定された温度に応じてバッテリ充電などを制御して自動車、電気自動車の付属品などを保護する。
【０００３】
但し、負温度係数を利用した温度センサの特性によって温度センサの測定範囲の下限値又は上限値の近くでは温度による電圧の変動幅が大きくない。よって、負温度係数サーミスタを利用した温度センサが正常動作しているのか、負温度係数サーミスタに短絡・断線などの異常はないのかを明確に把握することができない問題があった。よって、負温度係数サーミスタを利用した温度センサの測定範囲の下限値付近又は上限値付近で断線・短絡を明確に判断する温度測定装置が要求される。
【発明の概要】
【発明が解決しようとする課題】
【０００４】
本発明が解決しようとする技術的課題は、負温度係数サーミスタを利用した温度センサの測定可能範囲の下限値と上限値付近での断線、短絡などの故障か否かを明確に把握する温度測定装置を提供することである。
【課題を解決するための手段】
【０００５】
本発明の一実施例による負温度係数サーミスタを利用した温度測定装置は、前記負温度係数サーミスタと可変抵抗部を含み、前記可変抵抗部の抵抗値は温度測定のためのデフォルト抵抗値と断線判断のための臨時抵抗値との間で変化する温度センサと、前記可変抵抗部が臨時抵抗値を有する場合、前記温度センサの出力電圧に基づいて前記負温度係数サーミスタが断線しているか否かを判断する異常動作判断部と、を含む。
【発明の効果】
【０００６】
負温度係数サーミスタを利用した温度センサの温度測定可能範囲の下限値と上限値付近での断線・短絡などの故障か否かを明確に把握することができる。これは、負温度係数サーミスタを利用した温度センサが使用される自動車、電気自動車などで温度による充電などの動作制御をすることに当たって制御動作の信頼度を上げることができる。また、負温度係数サーミスタを利用した温度センサが故障しているか否かを早期に把握し、故障初期に備品を交代することができる。
【図面の簡単な説明】
【０００７】
【図１】本発明の一実施例による温度測定装置のブロック図である。
【図２】本発明の一実施例による温度測定装置の回路図である。
【図３】本発明の一実施例による温度測定装置の動作を示すフローチャートである。
【図４】負温度係数を利用した温度センサに含まれた固定抵抗値による温度センサの温度−電圧曲線の変化を示す図である。
【図５】本発明の他の実施例による温度測定装置のブロック図である。
【図６】本発明の一実施例による温度測定装置の回路図である。
【図７】本発明の他の実施例による温度測定装置の動作を示すフローチャートである。
【発明を実施するための形態】
【０００８】
以下、添付した図面を参照し、本発明の実施例に対して本発明の属する技術分野における通常の知識を有する者が容易に実施し得るように詳しく説明する。しかし、本発明は様々な相異なる形態に具現されてもよく、ここで説明する実施例に限定されることはない。そして、本発明を明確に説明するために説明と関係のない部分は図面から省略しており、明細書全体に渡って類似した部分に対しては類似した部面符号を付けている。
【０００９】
また、ある部分がある構成要素を「含む」という際、これは特に反対する記載がない限りある構成要素以外を除くということではなく、他の構成要素を更に含むということを意味する。
【００１０】
以下、図１乃至図３を参照して本発明の一実施形態による温度測定装置を説明する。
【００１１】
図１は、本発明の一実施例による温度測定装置のブロック図である。
【００１２】
図１を参照すると、温度測定装置１００は直流電圧生成部１１０、温度センサ１２０、バッファ１３０、電圧温度マッチング部１４０、電圧温度テーブル記憶部１５０、異常動作判断部１６０、充電制御部１７０、バッテリ１８０を含む。
【００１３】
直流電圧生成部１１０は直流電圧を生成する。
【００１４】
電圧温度テーブル記憶部１５０は電圧温度テーブルを記憶する。電圧温度テーブルは、温度センサ１２０の複数の出力電圧にそれぞれ対応する複数の温度値を含む。
【００１５】
充電制御部１７０は異常動作判断部１６０が出力する断線感知信号、短絡感知信号に応じて電気自動車のバッテリ１８０に関する充電動作などを制御する。
【００１６】
温度測定装置１００の他の構成要素に対しては、図２を参照して詳しく説明する。
【００１７】
図２は、本発明の一実施例による温度測定装置の回路図である。
【００１８】
温度センサ１２０はＮＴＣサーミスタＲｎ１と固定抵抗Ｒ１を含む。ＮＴＣサーミスタＲｎ１は直流電圧生成部１１０が生成する直流電圧が印加される一端を有する。固定抵抗Ｒ１の一端はＮＴＣサーミスタＲｎ１の他端に連結され、他端は接地される。
【００１９】
固定抵抗Ｒ１に印加される電圧を温度センサ１２０の出力電圧とする。温度センサ１２０の出力電圧は入力電圧に、〔固定抵抗Ｒ１の大きさ／（ＮＴＣサーミスタＲｎ１の抵抗値＋固定抵抗Ｒ１の大きさ）〕をかけた値である。ＮＴＣサーミスタＲｎ１の抵抗値は温度が上昇するにつれ小さくなる。よって、温度が上昇することで出力電圧が大きくなる。逆に、ＮＴＣサーミスタＲｎ１の抵抗値は温度が下降するにつれて大きくなる。よって、温度が下降することによって出力電圧が小さくなる。
【００２０】
バッファ１３０はＯＰ  Ａｍｐ（Ｏｐ）と固定抵抗Ｒ２で構成される。Ｏｐ  Ａｍｐ（Ｏｐ）の入力端は温度センサ１２０の出力が印加される固定抵抗Ｒ１の一端とＮＴＣサーミスタＲｎ１の他端に連結される。固定抵抗Ｒ２の一端はＯｐ  Ａｍｐ（Ｏｐ）の出力端に連結され、他端は接地される。バッファ１３０は能動素子であるＯｐ  Ａｍｐ（Ｏｐ）をその構成として有するため、負荷効果なしに温度センサ１２０の出力電圧をバッファリングしてバッファリングされた電圧を出力する。
【００２１】
電圧温度マッチング部１４０の入力端はＯＰ  Ａｍｐ（Ｏｐ）の出力端と固定抵抗Ｒ２一端に連結される。
【００２２】
図３は、本発明の一実施例による温度測定装置の動作を示すフローチャートである。
【００２３】
温度センサ１２０は温度に応じて変化するＮＴＣサーミスタＲｎ１の抵抗値を利用し、現在温度に当たる電圧値を出力する（Ｓ１０１）。
【００２４】
バッファ１３０は温度センサ１２０の出力電圧をバッファリングし、バッファリングされた電圧を出力する（Ｓ１０３）。温度センサ１２０と電圧温度マッチング部１４０がバッファ１３０なしに直接連結されると負荷効果が発生して電圧強化が発生し、それによって正確な電圧値が伝達されなくなる。よって、温度センサ１２０の出力電圧はバッファ１３０を介して電圧温度マッチング部１４０に正確に伝達される。
【００２５】
電圧温度マッチング部１４０はバッファリングされた電圧を電圧温度テーブル記憶部１５０に記憶された電圧温度テーブル上の電圧とマッチングし、バッファリングされた電圧値に当たる現在温度を出力する（Ｓ１０５）。電圧温度テーブルは温度センサ１２０の特性によって異なる。一方、バッファ１３０は省略されてもよく、この場合、電圧温度マッチング部１４０は温度センサ１２０の出力電圧に当たる現在温度を出力する。
【００２６】
異常動作判断部１６０は、現在温度が予め設定された正常動作温度範囲を逸脱するか否かを判断する（Ｓ１０７）。正常動作温度範囲とは、温度センサ１２０で測定可能な温度範囲内で断線又は短絡とみなされない出力電圧に対応する温度範囲を設定したものである。現在温度が正常動作温度範囲を逸脱している場合、断線・短絡の可能性がある。
【００２７】
現在温度が正常動作温度範囲を逸脱しているのであれば、異常動作判断部１６０は現在温度が予め設定された基準時間を超過して正常動作温度範囲を逸脱する値を維持するか否かを判断する（Ｓ１０９）。異常動作の基準時間を超過しなければ、異常動作判断部１６０は正常動作状態であると判断する。
【００２８】
現在温度が基準時間を超過して正常動作温度範囲を逸脱する値を維持するのであれば、異常動作判断部１６０は現在温度が正常動作温度範囲の下限値より低いか否かを判断する（Ｓ１１１）。
【００２９】
現在温度が正常動作温度範囲の下限値より低くなければ、異常動作判断部１６０はＮＴＣサーミスタの短絡を指示する短絡感知信号を出力する（Ｓ１１３）。正常動作温度範囲の上限値より高い値を有し、ＮＴＣサーミスタＲｎ１が短絡しているのであれば、直流電圧生成部１１０が供給する電圧が全て固定抵抗Ｒ２に印加されて電圧温度マッチング部１４０が非常に高い現在温度を出力するためである。
【００３０】
現在温度が正常動作温度範囲の下限値より低ければ、異常動作判断部１６０はＮＴＣサーミスタの断線を指示する断線感知信号を出力する（Ｓ１１５）。ＮＴＣサーミスタＲｎ１が断線しているのであれば、直流電圧生成部１１０が供給する電圧が固定抵抗Ｒ２に全く印加されないため電圧温度マッチング部１４０が非常に低い現在温度を出力するためである。
【００３１】
以下、図４乃至図7を参照して本発明の他の実施例による温度センサの故障検出装置を説明する。
【００３２】
図４は、負温度係数を利用した温度センサに含まれた抵抗値による温度センサの温度−電圧曲線の変化を示す図である。
【００３３】
温度センサ１２０の出力電圧は、固定抵抗Ｒ１の大きさ／（ＮＴＣサーミスタＲｎ１の抵抗値＋固定抵抗Ｒ１の大きさ）である。よって、固定抵抗Ｒ１の大きさが大きくなるほどＮＴＣサーミスタＲｎ１の抵抗値が相対的に小さい高温ではＮＴＣサーミスタＲｎ１の抵抗値変化の影響が小さくなり、図４の曲線はＡ曲線の方向に移動する。逆に、固定抵抗Ｒ１の大きさが小さくなるほどＮＴＣサーミスタＲｎ１の抵抗値が相対的に大きい低温ではＮＴＣサーミスタＲｎ１の抵抗値変化の影響が小さくなり、図４の曲線はＢ曲線の方向に移動する。このような温度センサの特性によって、温度センサに含まれている固定抵抗Ｒ１の大きさに応じて低温又は高温での温度測定が不正確になる。
【００３４】
よって、異常動作判断部１６０が、現在温度が正常動作温度範囲を逸脱する温度を基準時間以上維持するか否かに応じて断線・短絡を判断するのであれば、断線・短絡状態ではなくても断線・短絡と判断される恐れがある。
【００３５】
よって、本発明の一実施例では温度測定範囲の中間温度以上での温度−電圧特性の線形性を向上させるよう、温度測定範囲の中間温度以上での勾配が温度測定範囲の中間温度以下での温度−電圧曲線の勾配より大きくなるように温度センサ１２０に含まれている固定抵抗Ｒ１の値を調整する。図４において、曲線はＢ曲線方向に移動する。それによって、温度測定範囲の中間温度以上での温度を精密に測定する。
【００３６】
ＮＴＣサーミスタが短絡しているか否かの判断は、図１乃至図３の実施例のように電圧温度マッチング部１４０の出力温度が正常動作温度範囲の上限値より高い温度を異常動作の基準時間を超過して維持するか否かで判断する。温度測定範囲の中間温度以下では相対的に温度測定の精密度が落ちるため、別途のスイッチと固定抵抗を追加して断線しているか否かを判断する。断線しているか否かの判断の詳しい動作は、図５乃至図７を参照して詳しく説明する。
【００３７】
図５は、本発明の他の実施例による温度測定装置のブロック図である。
【００３８】
図５を参照すると、温度測定装置２００は直流電圧生成部２１０、温度センサ２２０、バッファ２３０、電圧温度マッチング部２４０、電圧温度テーブル記憶部２５０、異常動作判断部２６０、充電制御部２７０、バッテリ２８０を含む。
【００３９】
直流電圧生成部２１０は直流電圧を生成する。
【００４０】
温度センサ２２０はＮＴＣサーミスタ２２３と可変抵抗部２２１を含む。可変抵抗部２２１は異常動作判断部２６０の制御によって複数の抵抗値のうち一つを有する。ここで、複数の抵抗値は温度測定のためのデフォルト抵抗値と断線判断のための臨時抵抗値である。
【００４１】
電圧温度テーブル記憶部２５０は電圧温度テーブルを記憶する。電圧温度テーブルは、温度センサ２２０の複数の出力電圧にそれぞれ対応する複数の温度値を含む。
【００４２】
充電制御部２７０は、異常動作判断部２６０が出力する断線感知信号及び短絡感知信号に応じて電気自動車のバッテリ２８０に関する充電動作などを制御する。
【００４３】
図６は、本発明の一実施例による温度測定装置の回路図である。
【００４４】
温度センサの可変抵抗部２２１は固定抵抗Ｒ３と固定抵抗Ｒ４、スイッチＳＷを含む。ＮＴＣサーミスタＲｎ２は直流電圧生成部２１０が生成する直流電圧が印加される一端を有する。抵抗Ｒ３の一端はＮＴＣサーミスタＲｎ２の他端に連結され、他端は接地される。
【００４５】
固定抵抗Ｒ４とスイッチＳＷはＮＴＣサーミスタＲｎ２と接地との間で直列連結される。一実施例において、固定抵抗Ｒ４の一端はＮＴＣサーミスタＲｎ２に連結され、スイッチＳＷの一端は抵抗Ｒ４の他端に連結され、他端は接地される。他の実施例において、スイッチＳＷの一端はＮＴＣサーミスタＲｎ２に連結され、抵抗Ｒ４の一端はスイッチＳＷの他端に連結され、他端は接地される。
【００４６】
図６の実施例において、スイッチＳＷがターンオンされる場合、固定抵抗Ｒ３と固定抵抗Ｒ４の合成抵抗値が温度測定のためのデフォルト抵抗値になり得る。スイッチＳＷがターンオフされる場合、固定抵抗Ｒ３と固定抵抗Ｒ４の合成抵抗値が断線判断のための臨時抵抗値になり得る。
【００４７】
図４のグラフにおいて、温度センサの温度−電圧特性がＡ曲線よりはＢ曲線に当たるために、可変抵抗部２２１のデフォルト抵抗値は温度測定範囲の中間温度でのＮＴＣサーミスタＲｎ２の抵抗値より小さくてもよい。温度測定範囲の上限温度と中間温度との間で温度センサの温度−電圧特性の線形性を向上させるために、可変抵抗部２２１のデフォルト抵抗値は温度測定範囲の中間温度でのＮＴＣサーミスタＲｎ２の抵抗値の１／５より小さくてもよい。
【００４８】
一方、温度測定範囲の低温範囲で断線しているか否かの判断を容易にするために、可変抵抗部２２１の臨時抵抗は可変抵抗部２２１のデフォルト抵抗値より大きくてもよい。臨時抵抗値を有する場合の温度センサ２２０の出力電圧とデフォルト抵抗値を有する場合の温度センサ２２０の出力電圧値が著しい差を示さなければ、断線しているか否かの判断を明確にすることができないためである。
【００４９】
温度測定範囲の低温範囲で可変抵抗部２２１が断線しているか否かの判断を更に容易にするために、可変抵抗部２２１の臨時抵抗は可変抵抗部２２１のデフォルト抵抗値より１０倍大きくてもよい。そのため、固定抵抗Ｒ３の抵抗値は固定抵抗Ｒ４の抵抗値より１０倍大きくてもよい。
【００５０】
スイッチＳＷは異常動作判断部２６０によってターンオン、ターンオフされる。特に、スイッチＳＷはＭＯＳＦＥＴのようなトランジスタであってもよい。
【００５１】
バッファ２３０はＯＰ  Ａｍｐ（Ｏｐ）と固定抵抗Ｒ５で構成される。Ｏｐ  Ａｍｐ（Ｏｐ）の入力端は温度センサ２２０の出力が印加される固定抵抗Ｒ３の一端とＮＴＣサーミスタＲｎ２の他端に連結される。固定抵抗Ｒ５の一端はＯｐ  Ａｍｐ（Ｏｐ）の出力端に連結され、他端は接地される。バッファ２３０は能動素子であるＯｐ  Ａｍｐ（Ｏｐ）をその構成として有するため、負荷効果なしに温度センサ２２０の出力電圧をバッファリングしてバッファリングされた電圧を出力する。
【００５２】
電圧温度マッチング部２４０の入力端はＯＰ  Ａｍｐ（Ｏｐ）の出力端と固定抵抗Ｒ５一端に連結される。
【００５３】
温度センサ故障検出装置２００の構成要素に対しては、図７を参照して詳しく説明する。
【００５４】
図７は、本発明の他の実施例による温度センサ故障検出方法を示すフローチャートである。
【００５５】
温度センサ２２０は温度に応じて変化するＮＴＣサーミスタの抵抗値と可変抵抗部２１１のデフォルト抵抗値を利用し、現在温度に当たる電圧値を出力する（Ｓ２０１）。
【００５６】
バッファ２３０は温度センサ２２０の出力電圧をバッファリングし、バッファリングされた電圧を出力する（Ｓ２０３）。温度センサ２２０と電圧温度マッチング部２４０がバッファ２３０なしに直接連結されると負荷効果が発生して電圧降下が発生し、それによって正確な電圧値が伝達されなくなる。よって、温度センサ２２０の出力電圧はバッファ２３０を介して電圧温度マッチング部２４０に正確に伝達される。
【００５７】
電圧温度マッチング部２４０はバッファリングされた電圧を電圧温度テーブル記憶部２５０に記憶された電圧温度テーブル上の電圧とマッチングし、バッファリングされた電圧値に当たる現在温度を出力する（Ｓ２０５）。電圧温度テーブルは温度センサ２２０の特性によって異なる。一方、バッファ２３０は省略されてもよく、この場合、電圧温度マッチング部２４０は温度センサ２２０の出力電圧に当たる現在温度を出力する。
【００５８】
異常動作判断部２６０は、現在温度が予め設定された正常動作温度範囲を逸脱するかを判断する（Ｓ２０７）。異常動作判断部２６０は、異常動作の基準時間を超過しなければ正常動作状態であると判断する。
【００５９】
現在温度が正常動作温度範囲を逸脱しているのであれば、異常動作判断部２６０は現在温度が予め設定された異常動作の基準時間を超過して正常動作温度範囲を逸脱する値を維持するかを判断する（Ｓ２０９）。異常動作判断部２６０は、異常動作の基準時間を超過しなければ正常動作状態であると判断する。
【００６０】
現在温度が正常動作温度範囲を逸脱する値を維持する時間が基準時間を超過する場合、異常動作判断部２６０は現在温度が正常動作温度範囲の下限値より低いかを判断する（Ｓ２１１）。
【００６１】
現在温度が正常動作温度範囲の下限値より低くなければ、異常動作判断部２６０はＮＴＣサーミスタの短絡を指示する短絡感知信号を出力する（Ｓ２１３）。
【００６２】
現在温度が正常動作温度範囲の下限値より低ければ、異常動作判断部２６０は温度センサ２２０内の可変抵抗部２２１が臨時抵抗値を有するように可変抵抗部２２１を制御する（Ｓ２１５）。特に、図６の実施例において、異常動作判断部２６０は温度センサ内のスイッチをターンオフする。スイッチがターンオフされると、温度センサ２２０の固定抵抗Ｒ３と固定抵抗Ｒ４の合成抵抗の大きさが変更される。よって、ＮＴＣサーミスタＲｎ２が断線されていなければ、温度センサ２２０の出力電圧はスイッチをターンオフする前と異なる。
【００６３】
この際、スイッチがターンオフされることで電圧温度マッチング部２４０が温度センサ２２０の出力電圧を電圧温度テーブルにマッチングし現在温度を出力することはできない状態である。よって、スイッチが更に短絡する前又は断線信号が出力される前まで温度測定の空白期が発生する。このような空白期の間、異常動作判断部２６０はスイッチを開放する前の温度を出力して受電制御部２７０に入力する。よって、高速に動作するスイッチを使用するほど温度測定の空白期を減らすことができる長所がある。一般的な開放短絡の動作時間が２０ｍｓ内であるほど高速に動作するＭＯＳＦＥＴをスイッチとして使用すると温度測定の空白期を最小化することができる。
【００６４】
異常動作判断部２６０は可変抵抗部２２１の臨時抵抗値によって温度センサ２２０が出力する電圧が断線判断の基準電圧より大きいかを判断する（Ｓ２１７）。特に、図６の実施例において、異常動作判断部２６０はスイッチをターンオフした後の温度センサ２２０の出力電圧が断線判断の基準電圧より大きいかを判断する。一実施例において、固定抵抗Ｒ３の断線判断基準電圧の大きさは直流電圧生成部２１０の電圧の大きさの半分又は２／３に設定する。
【００６５】
異常動作判断部２６０は温度センサ２２０の出力電圧が断線判断の基準電圧より小さければ温度センサが正常動作状態であると判断し、温度センサ２２０内のスイッチをターンオンする（Ｓ２１９）。
【００６６】
異常動作判断部２６０は出力電圧が断線判断の基準電圧より小さければＮＴＣサーミスタの断線感知信号を出力する（Ｓ２２１）。ＮＴＣサーミスタＲｎ２が断線しているのであれば直流電圧生成部２１０から電圧が可変抵抗部２２１に供給されないため、断線判断の基準電圧より低い電圧が出力されるためである。
【００６７】
以上、実施例に説明された特徴、構造、効果などは本発明の少なくとも一つの実施例に含まれるが、必ずしも一つの実施例にのみ限定されることはない。なお、各実施例にて例示された特徴、構造、効果などは、実施例が属する分野の通常の知識を有する者によって他の実施例に対しても組換え又は変形されて実施可能である。よって、このような組換えと変形に関する内容は本発明の範囲に含まれるものとして解析されるべきである。
【００６８】
これまで実施例を中心に説明したが、これは単なる例示に過ぎないものであって本発明を限定するものでなく、本発明の属する分野の通常の知識を有する者であれば本実施例の本質的な特性を逸脱しない範囲で上記に例示されていない多様な変形と応用が可能であることを理解できるはずである。例えば、実施例に具体的に示した各構成要素は変形して実施してもよいものである。そして、このような変形と応用に関する差は、添付した特許請求の範囲で規定する本発明の範囲に含まれるものとして解析されるべきである。
【符号の説明】
【００６９】
１００、２００    温度測定装置
１１０，２１０    直流電圧生成部
１２０，２２０    温度センサ
１３０，２３０    バッファ
１４０，２４０    電圧温度マッチング部
１５０，２５０    電圧温度テーブル記憶部
１６０，２６０    異常動作判断部
１７０，２７０    充電制御部
１８０，２８０    バッテリ
２２１    可変抵抗部
２２３    サーミスタ
【図１】
0005848415.tif 000002
【図２】
0005848415.tif 000003
【図３】
0005848415.tif 000004
【図４】
0005848415.tif 000005
【図５】
0005848415.tif 000006
【図６】
0005848415.tif 000007
【図７】
0005848415.tif 000008